(57)【要約】本発明は、１条のレール（２）に沿って懸吊支承されたエレメントをシフト可能に案内するためのシャックル（１）に関する。空間的な拡がりを可能な限り小さくすると共に、コンパクトで視覚的にも魅力的なユニットを形成し、しかも従来の適用多様性及び種々の機能を維持するように構成するために、シャックル（１）はフラットに長手方向に延在し、かつ互いに対置する両終端域（７，８）間に１つの中央区分（９）を有し、しかも前記の両終端域（７，８）が丸く面取りして形成されている。
2005527750.tif 000002
【特許請求の範囲】
【請求項１】
１条のレール（２）に沿って懸吊支承されたエレメントをシフト可能に案内するためのシャックルにおいて、シャックル（１）がフラットに長手方向に延在し、かつ互いに対置する両終端域（７，８）間に１つの中央区分（９）を有し、しかも前記の両終端域（７，８）が丸く面取りして形成されており、かつ前記シャックル（１）の前面側の表面（１０）が、球面状に形成されていることを特徴とする、シャックル。
【請求項２】
両終端域（７，８）が半円形に形成されている、請求項１記載のシャックル。
【請求項３】
両終端域（７，８）の直径（Ｄ）が、中央区分（９）の幅（Ｂ）に等しい、請求項１又は２記載のシャックル。
【請求項４】
表面（１０）が、シャックル（１）の外周縁（１１）を起点としてやや隆起気味に上り勾配を成している、請求項１から３までのいずれか１項記載のシャックル。
【請求項５】
カバー（１３）がシャックル（１）の表面（１０）に面整合するように嵌込み可能である、請求項１又は４記載のシャックル。
【請求項６】
シャックル（１）の背面（１４）に、レール（２）に沿ってシフト可能なローラ（３）と連結可能な軸受け体（１５）が配置されている、請求項１から５までのいずれか１項記載のシャックル。
【請求項７】
シャックル（１）の背面（１４）には、エレメントに固定可能なポイントホルダー（４）と連結可能な少なくとも１つの付設部（１６）が配置されている、請求項１から６までのいずれか１項記載のシャックル。
【請求項８】
軸受体（１５）及び／又は付設部（１６）の幅が、両終端域（７，８）の直径（Ｄ）よりも小である、請求項６又は７記載のシャックル。
【請求項９】
背面（１４）に形成された固定域が、被覆部（１７）によって閉鎖されている、請求項１から８までのいずれか１項記載のシャックル。
【請求項１０】
固定域には、離間防止機構（５）及び／又はストッパ（６）が固定可能である、請求項９記載のシャックル。
【発明の詳細な説明】
【技術分野】
【０００１】
本発明は、請求項１に発明の上位概念として特定したように、１条のレールに沿って懸吊支承されたエレメントをシフト可能に案内するためのシャックルに関する。
【背景技術】
【０００２】
前記形式のシャックルによってエレメントは、レール装置に沿ってシフト可能に懸吊されて案内される。大抵は前記シャックルは支持ローラを介して、下部構造に固定された１条のレールの上面に沿って案内される。
【０００３】
このようなシャックルは米国特許第１，１１６，３３１号明細書に基づいて公知になっている。１条のレールに沿って案内されるローラと、シフト可能なエレメントの固定部との間には、調整可能な離間防止機構が付加的に構成されている。シャックルの片持ち式の多部構成は、コスト高な製作を必要とし、かつ経済的な材料使用の観点に立っても最適とは言いがたい。
【０００４】
そこで本発明の課題は、請求項１に上位概念として記載した形式のシャックルを改良して、空間的な拡がりを可能な限り小さくすると共に、コンパクトで視覚的にも魅力的なユニットを形成し、しかも従来の適用多様性及び種々の機能を維持するように構成することである。
【０００５】
前記の課題は、請求項１の特徴部に記載した構成手段によって解決される。請求項１に記載したシャックルの有利な構成手段は、従属請求項に記載した通りである。
【０００６】
本発明のシャックルでは、材料の使用量と形状付与との格別有利な組合せによって、機能的であると同時に視覚的にも魅力的なユニットを形成することが達成される。球面状の表面と、丸く面取りされた両終端域とによって、僅かな構造奥行と僅かな縦方向延在長さが可能になるので、コンパクトなユニットが形成された。このように構成されたシャックルは、構成空間の最適な活用と、製作費及び使用材料の最適化とを可能にする。
【０００７】
本発明のシャックルに使用される材料所要量がきわめて僅少であるにも拘わらず、安定特性及び機能特性が保証されている。こうして得られる外側輪郭は、流線形推移によって、視覚的には魅惑的に形成される。すべての角隅及びエッジは曲率を有している。すべての材料厚は最小限に削減されている。外側輪郭、特に前面及びエッジ面の流線形経過は材料使用量を著しく削減し、かつ注型技術上の製作問題を緩和する。その場合の使用材料としては、金属材料、合成樹脂材料或いは所謂ハイブリッド材料も考えられる。色彩上の構成は無制限である。更に前挙の諸特性は、製作コストの削減に著しく寄与する。
【０００８】
転動ローラ取付け用の付設部もしくは付設域及び、支持すべきエレメント又はその他の付設部品との継手を隠蔽配置することによって、脱材料化されたガラス−金属構造の透明な現象像に特に良好に順応する有利な視覚的コンセプトが得られる。前面側及び／又は背面側に配置された固定域はカバーによって防護されるので、機能を妨害する汚染物が回避される。本発明のシャックルは突起部分又はシャープエッジ部分を全く有していないので、クリーニング作業が容易になり、かつ該クリーニング作業に関連した外傷源が排除されている。
【０００９】
シャックルは、原理的にはフラットで細長い形状を有し、しかも互いに対置する両終端域間には１つの中央区分が形成されている。両終端域は半円形に形成されている。前記中央区分は均一な幅を有し、この幅は、差し当たって両終端域まで続くが、終端域では前記半円形の直径になる。
【００１０】
シャックルの、観察者に対面した方の表面は、機能エレメントによって妨げられることはない。該表面は、両終端域間の長手方向延在域においても両側縁間においても、幾分球面状に形成されており、しかも表面は外周縁から、シャックル体の内向きにやや隆起気味に上り勾配を成している。全体的には、視覚的に統一した平滑な面が形成される。中央区分ではカバーが表面に面整合するように嵌込まれており、該カバーは、背面側に配置された離間防止機構の固定域を隠蔽している。
【００１１】
観察者から離反した方の背面側で、シャックルの上部終端域にはローラが軸受体に装備されており、前記ローラは、レールに沿ってシャックルをシフト可能に案内するためのものである。前記軸受体は、丸く面取りを施した上部終端域によって、観察者には隠蔽配置されている。下部終端域の背面側には、レールに沿ってシフト可能に案内しようとするエレメントを固定するための２つのポイントホルダーが位置している。該ポイントホルダーは、シャックルと結合された付設部に固定され、該付設部は観察者に対して同じく隠蔽配置されている。
【００１２】
中央区分の背面側に配置された離間防止機構は、レールからのシャックルの不当な離間を防止する。該離間防止機構は、レールにシャックルを装着した後に取り付けられて前面側で固定される。更にまたシャックルの側面には１つのストッパを取付けることが可能であり、該ストッパは、相応の制限部にエレメントを騒音なくソフトに停止させることを保証する。両機能のためには背面側に、固定手段用の穴が必要になる。この場合も視覚的に統一した表面を得るために、この領域は被覆部によって閉鎖される。これによって同時に、この領域へのダスト侵入及び機能障害が防止される。
【発明を実施するための最良の形態】
【００１３】
次に図面に基づいて本発明の有利な実施例を詳説する。
【００１４】
図１〜図６において符号１で示したシャックルによって、１つのエレメント（図示せず）を１条のレール２に沿ってシフト可能に配置することが可能である。前記シャックル１は支持ローラ３を介して前記レール２の上面に沿って案内され、該レールは、詳細な図示を省いた下部構造に固定されている。シャックル１には更にまたポイントホルダー４が配置可能であり、該ポイントホルダーによって前記エレメントは固定される。前記の支持ローラ３とポイントホルダー４との間には、離間防止機構５及び／又はストッパ６をオプショナルに装着することが可能である。前記エレメントは、空間を閉鎖するドア或いは、キャビネット又は物品棚の閉鎖ドアであることができる。また空間並びにキャビネット又は物品棚において仕切り機能を果たす位置可変のエレメントも考えられる。
【００１５】
シャックル１は、原理的にはフラットな細長い形状を有し、しかも互いに対置する両終端域７，８間には中央区分９が一体的に介在している。両終端域７，８は、半円形状に形成されて空間内へ侵入している。中央区分９は一定不変の幅Ｂを有し、この幅は、差し当たって両終端域７，８にまで続くが両端部では半円形の両終端域７，８の直径Ｄを形成している。
【００１６】
シャックル１の、観察者に対面した方の表面１０は、機能エレメントによって妨げられることはなく、かつやや球面状に形成されており、しかも該表面１０は、外周縁１１からシャックル体の内側に向かってやや隆起気味に上り勾配を成している。両終端域７，８と中央区分９との間の各推移部は、それぞれ横方向に延びる溝１２によって、視覚的に際立たされている。中央区分９ではカバー１３が表面１０に面整合するように組付けられている。該カバー１３は、背面側に配置された離間防止機構５の固定部を隠蔽している。
【００１７】
観察者から離反した方の背面側１４で、シャックル１の上部終端域７には、レール２に沿ってシャックル１をシフト可能に案内するための支持ローラ３が取付けられている。該支持ローラ３は、シャックル１に結合された軸受体１５で支承され、該軸受体は円形に形成されており、かつ該軸受体の直径は最大限でも半円形終端域７の直径Ｄに等しい。こうして軸受体１５は、観察者に対して終端域７によって隠蔽配置されている。
【００１８】
下部終端域８の背面側には、レール２に沿ってシフト可能に案内しようとするエレメントを固定するための２つのポイントホルダー４が設けられている。ポイントホルのダー４の固定は、シャックル１に結合された付設部１６において行われ、該付設部は、相当の固定手段を有し、かつ円形に形成されている。前記付設部１６の直径Ｄは最大限でもシャックル１の幅Ｂに等しいか、もしくは最大限でも半円形終端域８の直径Ｄに等しいので、従って付設部１６は、観察者に対して終端域８によって隠蔽配置されている。
【００１９】
中央区分９の背面側に配置された離間防止機構５は、レール２からのシャックル１の不当な離間を阻止する。該離間防止機構５は、シャックル１をレール２上に装着した後に組付けられて前面側で固定される。更にまたシャックル１の側面には１つのストッパ６を取付けることが可能であり、該ストッパは、相応の制限点でエレメントを騒音なくソフトに停止させることを保証する。両オプションについては背面側に固定手段用の開口が必要になる。この場合も視覚的に統一的な表面を得るために、この固定域は被覆部１７によって閉鎖される。この被覆手段によって同時に、この固定域へのダスト侵入及び機能障害が防止される。
【００２０】
本発明の実施例についての以上の説明は、単なる図解目的のためにすぎず、本発明を限定するためのものではない。本発明では、発明の思想並びにその等価物の範囲を逸脱することなしに、種々異なった変化態様で実施することが可能である。
【図面の簡単な説明】
【００２１】
【図１】シャックルの正面図である。
【００２２】
【図２】１本の支持ローラの取付けられたシャックルの斜視図である。
【００２３】
【図３】１つのストッパを備えており、かつ１本の支持ローラによって１条の案内レールに沿ってシフト可能に案内されているシャックルの斜視図である。
【００２４】
【図４】１本の支持ローラによって１条の案内レールに沿ってシフト可能に案内されているシャックルの斜視図である。
【００２５】
【図５】図４に示したシャックルの背面図である。
【００２６】
【図６】支持ローラを省いて示した図２のシャックルの側面図である。
【符号の説明】
【００２７】
１    シャックル、  ２    レール、  ３    支持ローラ、  ４    ポイントホルダー、  ５    離間防止機構、  ６    ストッパ、  ７，８    終端域、  ９    中央区分、  １０    前面側の表面、  １１    外周縁、  １２    溝、  １３    カバー、  １４    背面側、  １５    軸受体、  １６    付設部、  １７    被覆部、  Ｂ    一定不変の幅、  Ｄ    半円形終端域の直径
【図１】
2005527750.tif 000003
【図２】
2005527750.tif 000004
【図３】
2005527750.tif 000005
【図４】
2005527750.tif 000006
【図５】
2005527750.tif 000007
【図６】
2005527750.tif 000008
【国際調査報告】
2005527750.tif 000009
2005527750.tif 000010
2005527750.tif 000011
2005527750.tif 000012
2005527750.tif 000013
2005527750.tif 000014